(57)【特許請求の範囲】
【請求項１】
複数の光ファイバと光学的に接続されるレンズと、
各々が前記複数の光ファイバの一つをガイドするための複数のガイド溝が第１の方向に延びるように形成された保持部と、
前記保持部に形成された前記複数のガイド溝を覆うように構成されたカバーと、
前記カバーと前記ガイド溝との間に形成される空隙の距離が第１の距離又は前記第１の距離よりも小さい第２の距離となるように、前記カバーを前記第１の方向と直交する第２の方向に移動可能なように収容するカバー収容部と、を備え、
前記カバーは、前記保持部と対向するように配置される蓋部を有し、
前記蓋部の前記保持部と対向する面は、平面であって、
前記複数のガイド溝は、前記第１の方向及び前記第２の方向に直交する第３の方向に配列され、
前記第１の距離は、前記光ファイバが前記ガイド溝中を前記第１の方向に移動可能となる一方、前記第３の方向への前記光ファイバの移動が規制される距離であって、
前記第２の距離は、前記カバーと前記ガイド溝によって前記光ファイバが固定される距離であるレンズモジュール。
【請求項２】
前記カバーは、前記蓋部の両側端部に一体的に形成された脚部をさらに有しており、
前記カバー収容部は、前記脚部が収容される中空部と、前記脚部と係合するように構成された係合部とを有しており、
前記脚部と前記係合部が互いに係合するとき、前記空隙の距離は前記第１の距離となり、
前記脚部と前記係合部が互いに係合しないとき、前記空隙の距離は前記第２の距離となる請求項１に記載のレンズモジュール。
【請求項３】
前記空隙の距離が前記第１の距離のとき、前記蓋部の上面は、前記第２の方向において前記係合部の上面から突出し、
前記空隙の距離が前記第２の距離のとき、前記蓋部の上面は、前記第２の方向において前記係合部の上面と面一となる請求項２に記載のレンズモジュール。
【請求項４】
前記保持部は、前記中空部の底面から突出するように形成されており、
前記保持部の側壁部と対向するように前記脚部は前記中空部に収容されている請求項２又は請求項３に記載のレンズモジュール。
【請求項５】
前記保持部の上面に凹部が形成され、前記ガイド溝が前記凹部内に形成されており、
前記光ファイバが前記ガイド溝に配置されたとき、前記光ファイバの一部が前記保持部の上面から突出するように前記凹部の深さが設定されている請求項１から請求項４のうちいずれか一つに記載のレンズモジュール。
【請求項６】
各々が前記複数のガイド溝の一つに配置された前記複数の光ファイバと前記レンズモジュールとを固定するための接着剤を貯蔵する貯蔵溝が、前記第３の方向へ延びるように前記保持部に形成され、前記複数のガイド溝の各々と連通する請求項１から請求項５のうちいずれか一つに記載のレンズモジュール。
【請求項７】
前記光ファイバの先端と当接する当接面をさらに備えており、
前記光ファイバの先端が前記当接面と当接した状態で、前記光ファイバと前記レンズは光学的に接続され、
前記貯蔵溝は、前記第１の方向において前記ガイド溝と前記当接面との間に形成される請求項６に記載のレンズモジュール。
【請求項８】
前記カバーは開口部を有しており、
前記カバーが前記カバー収容部に収容された状態で、前記貯蔵溝は前記開口部から露出している請求項６又は請求項７に記載のレンズモジュール。 
【発明の詳細な説明】
【技術分野】
【０００１】
本発明は、レンズモジュールに関する。
【背景技術】
【０００２】
特許文献１に開示された光モジュールでは、光ケーブルから延びる光ファイバ心線と、光ファイバ心線を支持するコネクタ部品と、レンズアレイ部品と、受発光素子とが設けられている。光ファイバ心線がコネクタ部品の光ファイバ保持孔によって保持された状態で、レンズアレイの位置決めピンがコネクタ部品の位置決め孔に挿通されることで、光ファイバ心線とレンズアレイとの位置調整が行われる。
【０００３】
一方、特許文献２に開示された光モジュールでは、レンズモジュールと、レンズモジュールに搭載されたファイバトレイとが設けられている。ファイバトレイには光ファイバを支持するためのガイド溝が形成されていると共に、レンズモジュールにも光ファイバの端部を支持するためのガイド溝が形成されている。
【先行技術文献】
【特許文献】
【０００４】
【特許文献１】国際公開第２０１３／０９９７５３号
【特許文献２】米国特許出願公開第２０１４／００９９０５８号明細書
【発明の概要】
【発明が解決しようとする課題】
【０００５】
しかしながら、特許文献１に開示された光モジュールでは、位置決めピンを位置決め孔に挿通するためには、位置決め孔の径を位置決めピンの径よりも若干大きくする必要がある。このため、位置決めピンを位置決め孔に挿通した状態では、位置決めピンと位置決め孔との間には僅かなクリアランスが存在し、これにより、レンズアレイと光ファイバ心線との位置調整にズレが生じる。
【０００６】
さらに、特許文献２に開示された光モジュールでは、光ファイバとレンズモジュールとのアライメントを行う場合には、ファイバトレイのガイド溝に光ファイバを搭載した状態で、ファイバトレイをレンズモジュールに搭載する。その後、光ファイバの端部をレンズモジュールのガイド溝に搭載し、光ファイバの端面をレンズモジュールの端面に当接させるため、光ファイバの長手方向における位置を調整する必要がある。
しかしながら、光ファイバの端面をレンズモジュールの端面に当接させるように各光ファイバの端面の位置を調整する作業は、非常に大きな労力を要する。
【０００７】
本発明は、上記点に鑑みて、光ファイバの高精度な位置調整を容易に行うことができるレンズモジュールを提供することを目的とする。
【課題を解決するための手段】
【０００８】
本発明の一態様のレンズモジュールは、
光ファイバと光学的に接続されるレンズと、
前記光ファイバをガイドするためのガイド溝が第１の方向に延びるように形成された保持部と、
前記保持部に形成されたガイド溝を覆うように構成されたカバーと、
前記カバーと前記ガイド溝との間に形成される空隙の距離が第１の距離又は前記第１の距離よりも小さい第２の距離となるように、前記カバーを前記第１の方向と直交する第２の方向に移動可能なように収容するカバー収容部と、を備え、
前記第１の距離は、前記光ファイバが前記ガイド溝中を前記第１の方向に移動可能となる一方、前記第１及び第２の方向に直交する第３の方向への前記光ファイバの移動が規制される距離であって、
前記第２の距離は、前記カバーと前記ガイド溝によって前記光ファイバが固定される距離であるレンズモジュール。
【発明の効果】
【０００９】
本発明によれば、光ファイバの高精度な位置調整を容易に行うことができるレンズモジュールを提供することができる。
【図面の簡単な説明】
【００１０】
【図１】本発明の実施形態に係る光モジュールを示す分解斜視図である。
【図２】その長手方向に直交する光ケーブルの断面図である。
【図３】本発明の実施形態に係る光モジュールの一部拡大断面図である。
【図４】本発明の実施形態に係る光モジュールの一部分を示す斜視図である。
【図５】本発明の実施形態に係るレンズモジュールを示す斜視図である。
【図６】図５に示したレンズモジュールのＶＩ−ＶＩ線に沿った断面図であって、（ａ）は、カバーとガイド溝との間に形成される空隙の距離が第１の距離ｄ１のときのレンズモジュールを示しており、（ｂ）は、カバーとガイド溝との間に形成される空隙の距離が第２の距離ｄ２のときのレンズモジュールを示している。
【図７】図５に示したレンズ部品の斜視図である。
【発明を実施するための形態】
【００１１】
［本発明の実施形態の説明］
本発明の実施形態の概要を説明する。
（１）光ファイバと光学的に接続されるレンズと、
前記光ファイバをガイドするためのガイド溝が第１の方向に延びるように形成された保持部と、
前記保持部に形成されたガイド溝を覆うように構成されたカバーと、
前記カバーと前記ガイド溝との間に形成される空隙の距離が第１の距離又は前記第１の距離よりも小さい第２の距離となるように、前記カバーを前記第１の方向と直交する第２の方向に移動可能なように収容するカバー収容部と、を備え、
前記第１の距離は、前記光ファイバが前記ガイド溝中を前記第１の方向に移動可能となる一方、前記第１及び第２の方向に直交する第３の方向への前記光ファイバの移動が規制される距離であって、
前記第２の距離は、前記カバーと前記ガイド溝によって前記光ファイバが固定される距離であるレンズモジュール。
【００１２】
上記構成によれば、光ファイバの高精度な位置調整を容易に行うことができるレンズモジュールを提供することができる。
【００１３】
（２）前記カバーは、前記保持部と対向するように配置される蓋部と、前記蓋部の両側端部に一体的に形成された脚部とを有しており、
前記カバー収容部は、前記脚部が収容される中空部と、前記脚部と係合するように構成された係合部とを有しており、
前記脚部と前記係合部が互いに係合するとき、前記空隙の距離は前記第１の距離となり、
前記脚部と前記係合部が互いに係合しないとき、前記空隙の距離は前記第２の距離となる項目（１）に記載のレンズモジュール。
【００１４】
上記構成によれば、比較的簡易な構造によって、第１の距離及び第２の距離との間を切替えることができ、比較的簡易な構造のレンズモジュールを提供することができる。
また、光ファイバの位置調整が容易となる。
【００１５】
（３）前記空隙の距離が前記第１の距離のとき、前記蓋部の上面は、前記第２の方向において前記係合部の上面から突出し、
前記空隙の距離が前記第２の距離のとき、前記蓋部の上面は、前記第２の方向において前記係合部の上面と面一となる項目（２）に記載のレンズモジュール。
【００１６】
上記構成によれば、光ファイバの位置調整の作業が容易となる。
【００１７】
（４）前記保持部は、前記中空部の底面から突出するように形成されており、
前記保持部の側壁部と対向するように前記脚部は前記中空部に収容されている項目（２）又は項目（３）に記載のレンズモジュール。
【００１８】
上記構成によれば、光ファイバの位置調整中にカバーが不意にカバー挿入方向（カバーをカバー収容部に挿入する方向）と直交する方向に大きく動くことが防止されるため、光ファイバの位置調整の作業が容易となる。
【００１９】
（５）前記保持部の上面に凹部が形成され、前記ガイド溝が前記凹部内に形成されており、前記光ファイバが前記ガイド溝に配置されたとき、前記光ファイバの一部が前記保持部の上面から突出するように前記凹部の深さが設定されている項目（１）から項目（４）のうちいずれか一つに記載のレンズモジュール。
【００２０】
上記構成によれば、各光ファイバをカバーによって確実に固定できるため、光ファイバの高精度な位置調整が実現可能となる。
【００２１】
（６）前記ガイド溝は複数設けられており、
前記複数のガイド溝の各々に配置された光ファイバと前記レンズモジュールとを固定するための接着剤を貯蔵する貯蔵溝が、前記第３の方向へ延びるように前記保持部に形成され、前記複数のガイド溝の各々と連通する項目（１）から項目（５）のうちいずれか一つに記載のレンズモジュール。
【００２２】
上記構成によれば、接着剤による光ファイバとレンズモジュールの固定作業が容易となる。
【００２３】
（７）前記光ファイバの先端と当接する当接面をさらに備えており、
前記光ファイバの先端が前記当接面と当接した状態で、前記光ファイバと前記レンズは光学的に接続され、
前記貯蔵溝は、前記第１の方向において前記ガイド溝と前記当接面との間に形成される項目（６）に記載のレンズモジュール。
【００２４】
上記構成によれば、接着剤による光ファイバとレンズモジュールとの固定作業が容易となる。
【００２５】
（８）前記カバーは開口部を有しており、
前記カバーが前記カバー収容部に収容された状態で、前記貯蔵溝は前記開口部から露出している項目（６）又は項目（７）に記載のレンズモジュール。
【００２６】
上記構成によれば、接着剤による光ファイバとレンズモジュールとの固定作業が容易となる。
【００２７】
［本発明の実施形態の詳細］
以下、本発明の実施形態について図面を参照しながら説明する。尚、本実施形態の説明において既に説明された部材と同一の参照番号を有する部材については、説明の便宜上、その説明は省略する。また、本図面に示された各部材の寸法は、説明の便宜上、実際の各部材の寸法とは異なる場合がある。
【００２８】
また、本実施形態の説明では、本発明の実施形態の理解を容易にするために、適宜、前後方向、上下方向、左右方向について言及する。尚、これらの方向は、図１に示された光モジュール１に設定された相対的な方向である。従って、図１に示された光モジュール１が所定方向に回転した場合には、それに従って、前後方向、上下方向、左右方向のうち少なくとも一つの方向が変化することに留意が必要である。
【００２９】
ここで、前後方向は、前方向及び後方向を含む方向である。同様に、上下方向は、上方向及び下方向を含む方向であって、左右方向は、左方向及び右方向を含む方向である。尚、特定の方向（ベクトル）を説明する場合には、適宜、上方向、下方向等として明示する。
【００３０】
図１は本実施形態に係る光モジュール１を示す分解斜視図である。図１に示されるように、光モジュール１は、光ケーブル３と、光ケーブル３の端部に取付けられた端末固定部３０と、端末固定部３０から引き出された光ファイバ６の端部を保持するレンズモジュール７とを備えている。レンズモジュール７は、レンズ部品１７と、レンズ部品１７に搭載されるカバー１３とを備える。光ファイバ６は、カバー１３とレンズ部品１７との間に挿通される。
【００３１】
また、光モジュール１は、配線基板２４と、配線基板２４を収容する第１ハウジング１６と、配線基板２４と第１ハウジング１６を収容する第２ハウジング１２とを備えている。第１ハウジング１６は、下側ハウジング１６ａと上側ハウジング１６ｂとからなる。
【００３２】
配線基板２４の上面には、レンズモジュール７と、信号処理回路４と、電気コネクタ２２が搭載されている。信号処理回路４は、配線基板２４に形成された配線パターンを介して電気コネクタ２２と電気的に接続されている。また、配線基板の下面には放熱シート２０が搭載されている。
【００３３】
信号処理回路４は、ＣＤＲ装置であって、例えば、電気信号を増幅することで電気信号の波形を成形する機能や複数の電気信号の波形を揃えるイコライザ機能を有する。
【００３４】
また、配線基板２４に搭載された信号処理回路４等の電子部品から発生した熱は、配線基板２４を介して放熱シート２０に伝えられる。放熱シート２０は、金属製の第１ハウジング１６に当接しており、第１ハウジング１６は樹脂製の第２ハウジング１２に収容されている。従って、放熱シート２０に伝えられた熱は、第１ハウジング１６を介して第２ハウジング１２に伝えられたり、第１ハウジング１６及び電気コネクタ２２を介して外部装置側に伝えられたり、又は第１ハウジング１６を介して光ケーブル３側に伝えられる。信号処理回路４等の電子部品から発生した熱は、分散して伝えられるため、第２ハウジング１２の温度が過度に高くなることが防止される。
【００３５】
図２は、その長手方向に直交する光ケーブル３の断面図を示している。図２に示されるように、光ケーブル３は、並設された複数（本実施形態では、4本）の光ファイバ６と、複数の光ファイバ６をテープ状に一体化するように覆うテープ樹脂８と、テープ樹脂８を覆う抗張力体１０と、抗張力体１０を覆う外被９とを備えている。
【００３６】
本実施形態では、４本の光ファイバ６が光ケーブル３に設けられている。このうち、２本の光ファイバ６は、光信号を電気コネクタ２２に送信するための送信用光ファイバとして用いられている。残りの２本の光ファイバ６は、電気コネクタ２２からの電気信号に基づいて生成された光信号を受信するための受信用光ファイバとして用いられている。
尚、光ファイバ６の本数は４本には限られず、２本以上であればよい。
【００３７】
また、光ファイバ６は、マルチモード用光ファイバである。光ファイバ６は、信号光を伝送するためのコアと、コアを覆うクラッドと、クラッドを覆う被覆樹脂とを備える。コア及びクラッドはガラス製又は樹脂製を採用することができる。例えば、コア及びクラッドが全てガラスからなるＡＦＧ（Ａｌｌ  Ｇｌａｓｓ  Ｆｉｂｅｒ）や、コア及びクラッドが全て樹脂からなるプラスチック光ファイバや、コアがガラスからなり、クラッドが樹脂からなるＨＰＣＦ（Ｈａｒｄ  Ｐｌａｓｔｉｃ  Ｃｌａｄ  Ｆｉｂｅｒ）を適宜採用することができる。尚、ＨＰＣＦを採用した場合には、曲げに強い光ファイバを構成することができる。
【００３８】
抗張力体１０は、アラミド等の繊維状の樹脂材料により形成されており、光ケーブル３に引張応力が加わった場合でも伸びにくいように構成されている。また、抗張力体１０によって、光ケーブル３内の光ファイバ６に衝撃が加わることが防止される。外被９は、抗張力体１０を覆うために好適な樹脂で形成されている。
【００３９】
図３は、レンズ部品１７の付近における光モジュール１の一部拡大断面図を示している。図３では、説明の便宜上、カバー１３の図示は省略されている。
図３に示すように、配線基板２４上には、光素子２と、光素子２を駆動するための駆動ＩＣチップ１１が搭載されている。レンズ部品１７は、光素子２と駆動ＩＣチップ１１を覆うように配線基板２４に搭載されており、光ファイバ６と光素子２を光学的に接続する。
【００４０】
光素子２は、左右方向（図３では紙面に垂直な方向）に並設された受光素子２ａと発光素子２ｂとを備えている。また、光ファイバ６は、左右方向に並設された送信用光ファイバ６ａと受信用光ファイバ６ｂとを備えている。本実施形態では、２つの受光素子２ａ、２つの発光素子２ｂ、２つの送信用光ファイバ６ａ、２つの受信用光ファイバ６ｂが設けられている。また、左右方向に４つのレンズＬ１が並設されている。
【００４１】
発光素子２ｂとしては、例えば、レーザダイオードや面発光レーザ（ＶＣＳＥＬ）が用いられる。また、受光素子２ａとしては、例えば、フォトダイオード（ＰＤ）が用いられる。
【００４２】
レンズ部品１７は、光ファイバ６を保持するための保持部５２と、反射面５５と、レンズＬ１とを有する。光ファイバ６は、保持部５２の上面に搭載されており、光ファイバ６の端面６Ｓがレンズ部品１７の当接面５４と当接するように、接着剤４０によってレンズ部品１７に固定されている。尚、本実施形態では、光ファイバ６の端面６Ｓがレンズ部品１７の当接面５４に当接しているが、光ファイバ６の先端がレンズ部品１７の当接面５４に当接していてもよい。光ファイバ６の先端が当接面５４と当接した状態で、光ファイバ６とレンズＬ１は光学的に接続される。
【００４３】
光ファイバ６とレンズ部品１７とを固定するための接着剤４０の一部が、保持部５２の上面から配線基板２４に向けて溢れ出て、保持部５２の下部付近の配線基板２４上に滞留して、補強接着部４２を形成する。この補強接着部４２によって、レンズ部品１７と配線基板２４との間の接着が補強される。
【００４４】
図４は、本実施形態に係る光モジュール１の一部分を示す斜視図である。図３及び図４に示されるように、光素子２、駆動ＩＣチップ１１、信号処理回路４及び電気コネクタ２２は、配線基板２４に設けられた配線パターン（図示せず）を介して互いに電気的に接続されている。
【００４５】
電気コネクタ２２は、外部装置（図示せず）との電気的なインタフェース（例えば、ＵＳＢコネクタ）として機能する。図３及び図４に示すように、外部装置から供給された電気信号は、電気コネクタ２２を通じて信号処理回路４に入力される。信号処理回路４で信号処理された電気信号は、発光素子２ｂによって光信号に変換される。変換された光（光信号）は、上方向に進み、レンズ部品１７のレンズＬ１を介して反射面５５に入射した後、反射面５５によって後方向に向かうように反射される。反射面５５によって反射された光は、当接面５４を介して受信用光ファイバ６ｂに入力される。このように、光モジュール１は、電気信号を光信号に変換するＥ/Ｏ変換機能を有する。
【００４６】
一方、送信用光ファイバ６ａから供給された光信号は、前方向に進み、レンズ部品１７の当接面５４を介して反射面５５に入射した後、反射面５５によって下方向に向かうように反射される。反射面５５によって反射された光は、レンズＬ１を介して受光素子２ａに入力され、受光素子２ａによって電気信号に変換される。変換された電気信号は信号処理回路４で信号処理された後、電気コネクタ２２を通じて外部装置に供給される。このように、光モジュール１は、光信号を電気信号に変換するＯ／Ｅ変換機能を有する。
【００４７】
次に、図５及び図６を参照することで、光モジュール１に使用されるレンズモジュール７の構造及び作用について説明する。図５は、レンズモジュール７を示す斜視図である。図６は、図５に示したレンズモジュール７のＶＩ−ＶＩ線に沿った断面図を示している。
図６（ａ）は、カバー１３と保持部５２に形成されたガイド溝５との間に形成される空隙の距離が第１の距離ｄ１のときのレンズモジュール７を示している。一方、図６（ｂ）は、カバー１３とガイド溝５との間に形成される空隙の距離が第２の距離ｄ２のときのレンズモジュール７を示している。尚、図５は、光ファイバ６の先端とレンズ部品１７の当接面が接着剤によって固定される前の状態のレンズモジュール７を示している。また、図６では、図５からレンズモジュール７上に搭載された平板Ｐが追加されている点に留意が必要である。
【００４８】
図５に示されるように、レンズモジュール７は配線基板２４に搭載されており、レンズ部品１７とカバー１３とを備える。レンズ部品１７は、保持部５２と、カバー１３を収容するためのカバー収容部５８とを有する。カバー１３は、保持部５２と対応するように配置される平板状の蓋部１３２と、蓋部１３２の両側端部に一体的に形成された脚部１３０とを有する。脚部１３０は、前方向から見ると、略Ｌ字形状に形成されており、前後方向に延びるように蓋部１３２と一体的に形成されている。
【００４９】
カバー収容部５８は、脚部１３０が収容される中空部５６と、脚部１３０と係合するように構成された係合部５７とを有する。中空部５６及び係合部５７は、前後方向においてレンズ部品１７の端部から当接面５４まで延びるように形成されている。
図６に示すように、脚部１３０は、蓋部１３２の左側端部に形成された左側脚部１３０ａと蓋部１３２の右側端部に形成された右側脚部１３０ｂとを有する。
【００５０】
カバー収容部５８は、左側カバー収容部５８ａと右側カバー収容部５８ｂとを有する。
左側カバー収容部５８ａは、左側脚部１３０ａが収容される左側中空部５６ａと、左側脚部１３０ａと係合するように構成された左側係合部５７ａとを有する。
右側カバー収容部５８ｂは、右側脚部１３０ｂが収容される右側中空部５６ｂと、右側脚部１３０ｂと係合するように構成された右側係合部５７ｂとを有する。
【００５１】
保持部５２は、左側中空部５６ａの底面１５６ａ及び右側中空部５６ｂの底面１５６ｂから上方向に突出するように形成されている。左側脚部１３０ａは、保持部５２の側壁部と対向するように中空部５６に収容されている。このため、カバー１３をカバー収容部５８に挿入するカバー挿入方向に直交する方向（左右方向）にカバー１３が大きく移動することが、保持部５２の側壁によって防止され、光ファイバ６の位置調整の作業が容易となる。
【００５２】
また、図６に示すように、光ファイバ６をガイドするための複数のガイド溝５が前後方向（第１の方向）に延びるように保持部５２に形成されている。具体的には、複数のガイド溝５は、保持部５２の上面５２ａに形成された凹部５２ｃ内に形成されている。
光ファイバ６がガイド溝５に配置されたとき、光ファイバ６の一部が保持部５２の上面５２ａから突出するように凹部５２ｃの上下方向における深さが設定されている。
【００５３】
尚、図６において「前後方向」とは、紙面に垂直な方向を指す。本実施形態では、４本の光ファイバ６のそれぞれに対応するように４つのガイド溝５が保持部５２に形成されている。尚、ガイド溝５の数は、光ファイバ６の本数に対応していなくてもよく、使用される光ファイバ６の本数以上であればよい。また、ガイド溝５は、前後方向から見てＶ字状に形成されている。
【００５４】
図６に示されるように、カバー収容部５８は、保持部５２に形成されたガイド溝５を覆うように配置されている。カバー１３は、カバー１３とガイド溝５との間に形成される空隙の距離が第１の距離ｄ１又は第２の距離ｄ２となるように、カバー１３を上下方向（第２の方向）に移動可能なように収容している。ここで、第２の距離ｄ２は、第１の距離ｄ１よりも小さい。また、図６に示されるように、第１の距離ｄ１及び第２の距離ｄ２は、ガイド溝５の最下端部から蓋部１３２の下面１３２ｂとの間の最短距離として規定される。
【００５５】
図６（ａ）に示されるように、カバー１３とガイド溝５との間に形成される空隙の距離が第１の距離ｄ１のとき、脚部１３０と係合部５７が互いに係合している。具体的には、左側脚部１３０ａと左側係合部５７ａが互いに係合する一方、右側脚部１３０ｂと右側係合部５７ｂが互いに係合している。また、蓋部１３２の上面１３２ａが上下方向（第２の方向）において左側係合部５７ａの上面１５７ａ及び右側係合部５７ｂの上面１５７ｂから突出している。
【００５６】
第１の距離ｄ１は、光ファイバ６がガイド溝５中を前後方向（第１の方向）に移動可能となる一方、左右方向（第３の方向）への光ファイバ６の移動が規制される距離である。
つまり、図６（ａ）に示されるように、カバー１３とガイド溝５との間に形成される空隙の距離が第１の距離ｄ１のとき、光ファイバ６をガイド溝５に挿通することができる。尚、詳細には、被覆樹脂６Ｊから露出した光ファイバ６の先端部がガイド溝５に挿入されるが、説明の便宜上、ここでは光ファイバ６をガイド溝５に挿通するものとして以下の説明を行う。
【００５７】
光ファイバ６をガイド溝５に挿通する間、左右方向においては光ファイバ６の移動が規制されるので、左右方向における光ファイバ６の位置ずれを抑えながら、光ファイバを容易にガイド溝５に挿通することが可能となる。厳密には、光ファイバ６をガイド溝５に挿通する間、光ファイバ６と蓋部１３２との間には空隙が存在するため、光ファイバ６は上下方向に僅かに移動すると共に、左右方向に僅かに移動することがある。一方、ガイド溝５に挿入された光ファイバ６の前方向への移動を止めたとき、光ファイバ６はガイド溝５中に再び収容されることとなる。つまり、本実施形態において、「左右方向（第３の方向）への光ファイバ６の移動の規制」とは、光ファイバ６がガイド溝５から完全に外れない程度に左右方向へ僅かに移動すること及び光ファイバ６が左右方向に全く移動しないことの両方を含む概念である。
【００５８】
図５及び図６（ａ）に示されるように、ガイド溝５に挿入された光ファイバ６を前方向に移動させ、光ファイバ６の先端とレンズ部品１７の当接面５４とを当接させる。この状態で、光ファイバ６とレンズ部品１７のレンズＬ１（図３参照）は光学的に接続される。
その後、図６（ｂ）に示されるように、図６（ａ）に示されたレンズモジュール７の状態から、カバー１３を保持部５２に向けて押圧することで、カバー１３とガイド溝５との間に形成される空隙の距離を第２の距離ｄ２にする。ここで、第２の距離ｄ２は、カバー１３とガイド溝５によって光ファイバ６が挟まれて固定される距離である。
このように、空隙の距離が第２の距離ｄ２のとき、光ファイバ６はカバー１３とガイド溝５によって固定される。
【００５９】
また、カバー１３を保持部５２に向けて押圧する場合には、平板Ｐを用いるのが好ましい。具体的には、カバー１３の蓋部１３２の上面１３２ａに平板Ｐを載置し、保持部５２に向けて平板Ｐを介して蓋部１３２に所定の力で押圧することで、カバー１３を下方向（第２の方向）に移動させる。ここで、カバー１３とガイド溝５との間に形成される空隙の距離が第２の距離ｄ２となるとき、蓋部１３２の上面１３２ａは、上下方向において左側係合部５７ａの上面１５７ａと右側係合部５７ｂの上面１５７ｂと面一となる。
【００６０】
従って、当該空隙の距離が第２の距離ｄ２となるとき、蓋部１３２に載置された平板Ｐは左側係合部５７ａ及び右側係合部５７ｂと当接するので、平板Ｐによってカバー１３を平行に押さえることが可能となる。このため、各ガイド溝５とカバー１３との間に形成される空隙の距離は同一となり、各光ファイバ６はカバー１３とガイド溝５によって確実に固定される。
【００６１】
つまり、当該空隙の距離が第１の距離ｄ１のとき、蓋部１３２の上面１３２ａは、上下方向において左側係合部５７ａの上面１５７ａと右側係合部５７ｂの上面１５７ｂから突出している。一方、当該空隙の距離が第２の距離ｄ２のとき、蓋部１３２の上面１３２ａは、上下方向において左側係合部５７ａの上面１５７ａと右側係合部５７ｂの上面１５７ｂと面一となっている。このため、平板Ｐを用いることで光ファイバ６の位置調整の作業が容易となる。
【００６２】
また、図６（ｂ）に示すように、カバー１３とガイド溝５との間に形成される空隙の距離が第２の距離ｄ２のとき、脚部１３０と係合部５７とが互いに係合していない。具体的には、左側脚部１３０ａは、左側中空部５６ａの底面１５６ａに当接しており、右側脚部１３０ｂは、右側中空部５６ｂの底面１５６ｂに当接している。
【００６３】
さらに、蓋部１３２の下面１３２ｂは、保持部５２の上面５２ａと当接しているので、カバー１３は平行状態を保ちながら、保持部５２の上面５２ａに支持される。このように、各光ファイバ６をカバー１３によって確実に固定できるため、光ファイバ６の高精度な位置調整が実現可能となる。
【００６４】
次に、保持部５２に形成された貯蔵溝８０について図７を参照して説明する。図７は、図５に示されたレンズ部品１７の斜視図である。図７に示されるように、貯蔵溝８０が左右方向（第３の方向）へ延びるように保持部５２に形成されている。貯蔵溝８０は、光ファイバ６とレンズモジュール７を固定するための接着剤を貯蔵するように構成されており、複数のガイド溝５の各々と連通するように保持部５２に形成されている。
また、貯蔵溝８０は、前後方向（第１の方向）においてガイド溝５とレンズ部品１７の当接面５４との間に形成される。
【００６５】
また、図５及び図７に示すように、カバー１３は開口部Ｈを有しており、カバー１３がカバー収容部５８に収容された状態で、カバー１３の開口部Ｈから貯蔵溝８０が露出している。このように、開口部Ｈから接着剤を容易に貯蔵溝８０に充填することができ、接着剤による光ファイバ６とレンズモジュール７との固定作業が容易となる。
【００６６】
以上より、本実施形態によれば、カバー１３とガイド溝５との間に形成される空隙の距離が第１の距離ｄ１となるようにカバー１３をカバー収容部５８に収容したとき、前方向に沿って光ファイバ６をガイド溝５に挿通することができる。この場合、左右方向においては光ファイバ６の移動が規制されるので、左右方向における光ファイバの位置ずれを抑えながら、光ファイバ６を容易にガイド溝５に挿通することが可能である。
また、カバー１３とガイド溝５との間に形成される空隙の距離を第１の距離ｄ１から第２の距離ｄ２に変更したとき、カバー１３とガイド溝５によって光ファイバ６が固定され、光ファイバ６の位置決めが完了する。
【００６７】
例えば、カバー１３とガイド溝５との間に形成される空隙の距離が第１の距離ｄ１のとき、ガイド溝５に挿入された光ファイバ６を前方向に移動させることで、光ファイバ６の先端と当接面５４を当接させ、光ファイバ６とレンズＬ１とを光学的に接続させる。
【００６８】
次に、カバー１３を保持部５２に向けて押圧することで、当該空隙の距離を第１の距離ｄ１から第２の距離ｄ２に変更し、光ファイバ６をカバー１３とガイド溝５によって固定する。その後、接着剤によって光ファイバ６とレンズモジュール７を固定することで、レンズＬ１に対する光ファイバ６の位置調整が完了する。このように、本実施形態によれば、光ファイバ６の高精度な位置調整を容易に行うことができる。
【００６９】
また、カバー１３の脚部１３０とカバー収容部５８の係合部５７とが互いに係合するとき、カバー１３とガイド溝５との間に形成される空隙の距離が第１の距離ｄ１となる。カバー１３の脚部１３０とカバー収容部５８の係合部５７とが互いに係合しないとき、当該空隙の距離は第２の距離ｄ２となる。
また、カバー１３の脚部１３０がカバー収容部５８の中空部５６に収容されているので、光ファイバ６の位置調整の作業中にカバー１３がカバー収容部５８から外れない。
【００７０】
従って、比較的簡易な構造によって、第１の距離ｄ１及び第２の距離ｄ２との間を切替えることができ、比較的簡易な構造を有するレンズモジュール７を提供することができる。また、光ファイバ６の位置調整が容易となる。
【００７１】
また、接着剤を貯蔵溝８０から充填することで、貯蔵溝８０から溢れた接着剤は貯蔵溝８０に連通する各ガイド溝５に流れ出す。このように、貯蔵溝８０を設けることで、各ガイド溝８０に効率的に接着剤を供給することが可能となる。つまり、各ガイド溝５への接着剤の供給量を制御することが可能となる。このように、接着剤による光ファイバ６とレンズモジュール７の固定作業が容易となる。
【００７２】
また、貯蔵溝８０が前後方向（第１の方向）においてガイド溝５と当接面５４との間に形成されるため、接着剤を貯蔵溝８０から充填することで、接着剤によって当接面５４と光ファイバ６の先端とが確実に固定される。つまり、接着剤がガイド溝５から外部に溢れてしまうことで、当接面５４と光ファイバ６の先端とが接着剤によって固定されないといった状況を防止することができる。
【００７３】
以上本発明の実施形態について説明をしたが、本発明の技術的範囲が本実施形態の説明によって限定的に解釈されるべきではないのは言うまでもない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００７４】
１：光モジュール
２：光素子
２ａ：受光素子
２ｂ：発光素子
３：光ケーブル
４：信号処理回路
５：ガイド溝
６：光ファイバ
６ａ：送信用光ファイバ
６ｂ：受信用光ファイバ
６Ｊ：被覆樹脂
６Ｓ：端面
７：レンズモジュール
８：テープ樹脂
９：外被
１０：抗張力体
１１：駆動ＩＣチップ
１２：第２ハウジング
１３：カバー
１６：第１ハウジング
１６ａ：下側ハウジング
１６ｂ：上側ハウジング
１７：レンズ部品
２０：放熱シート
２２：電気コネクタ
２４：配線基板
３０：端末固定部
４０：接着剤
４２：補強接着部
５２：保持部
５２ａ：上面
５２ｃ：凹部
５４：当接面
５５：反射面
５６：中空部
５６ａ：左側中空部
５６ｂ：右側中空部
５７：係合部
５７ａ：左側係合部
５７ｂ：右側係合部
５８：カバー収容部
５８ａ：左側カバー収容部
５８ｂ：右側カバー収容部
８０：貯蔵溝
８０：ガイド溝
１３０：脚部
１３０ａ：左側脚部
１３０ｂ：右側脚部
１３２：蓋部
１３２ａ：上面
１３２ｂ：下面
１５６ａ：底面
１５６ｂ：底面
１５７ａ：上面
１５７ｂ：上面
ｄ１：第１の距離
ｄ２：第２の距離
Ｈ：開口部
Ｌ１：レンズ
Ｐ：平板
【図１】
0006379970.tif 000002
【図２】
0006379970.tif 000003
【図３】
0006379970.tif 000004
【図４】
0006379970.tif 000005
【図５】
0006379970.tif 000006
【図６】
0006379970.tif 000007
【図７】
0006379970.tif 000008